(57)【要約】【課題】確実に絶縁を行なうとともに、乗り心地を向上することが可能な絶縁セクション、給電レール、及び軌道系交通システムを提供する。【解決手段】車両の側方に延設されて、車両と対向する接触面２２ａで、車両のパンタグラフ１２と接触する電車線２０同士を接続する絶縁セクション２２であって、接触面２２ａは、走行方向Ｄ１に直交する上下方向Ｄ３の上縁から下縁まで形成された溝２３を有し、溝２３は、上下方向Ｄ３の断面が、走行方向Ｄ１のいずれの位置でも、接触面２２ａの上下方向Ｄ３の一部となるように形成されていることを特徴とする。【選択図】図２
2013159181.tif 000002
【特許請求の範囲】
【請求項１】
車両の側方に延設されて、前記車両と対向する接触面で、前記車両の集電子と接触する電車線同士を接続する絶縁セクションであって、
前記接触面は、延設方向に直交する上下方向の上縁から下縁まで形成された溝を有し、
前記溝は、前記上下方向の断面が、前記延設方向のいずれの位置でも、前記接触面の前記上下方向の一部となるように形成されていることを特徴とする絶縁セクション。
【請求項２】
前記溝は、前記延設方向の一方側から他方側に向かうに従って、前記上下方向の一方側から他方側に向かって傾斜して形成されていることを特徴とする請求項１に記載の絶縁セクション。
【請求項３】
前記溝は、前記延設方向の一方側から他方側に向かうに従って、前記上下方向の一方側から他方側に向かって湾曲して形成されていることを特徴とする請求項１に記載の絶縁セクション。
【請求項４】
前記接触面は、前記上下方向に間隔をあけて設けられる第一接触面と第二接触面とを有し、
前記溝は、これら第一接触面及び第二接触面それぞれに、前記延設方向に異なる位置で形成されていることを特徴とする請求項１から３のいずれか一項に記載の絶縁セクション。
【請求項５】
車両の集電子と接触する電車線と、
前記電車線同士を接続する請求項１から４のいずれか一項に記載の絶縁セクションとを備えることを特徴とする給電レール。
【請求項６】
請求項１から５のいずれか一項に記載の絶縁セクション又は給電レールを備えることを特徴とする軌道系交通システム。
【発明の詳細な説明】
【技術分野】
【０００１】
本発明は、車両に対して側方の電車線より給電を行なう給電レールに関するものである。
【背景技術】
【０００２】
バスや鉄道に代わる新たな交通手段として、車両がゴムタイヤからなる走行輪で軌道上を走行するとともに、この車両の両側部又は車両下部に設けられた案内輪が、軌道の両側部又は中央部に設けられたガイドレールによって案内される軌道系交通システムが知られている。このような軌道系交通システムは、一般に新交通システムやＡＰＭ（Ａｕｔｏｍａｔｅｄ  Ｐｅｏｐｌｅ  Ｍｏｖｅｒ）と呼ばれている。
【０００３】
そして、上述の軌道系交通システムの軌道の側部には給電レールが設けられており、この給電レールに対して、車両の側部に設けられたパンタグラフが対向して接触摺動することで、車両に給電を行なっている。
【０００４】
ここで、給電レールにおいては、き電線に導通する電車線間に、き電区間の区切りとして絶縁状態とされた絶縁セクションが数百メートル毎に設置されている。そして上記絶縁セクションには一般に強化木が用いられている。しかし、絶縁セクションには、電車線同様にパンタグラフが接触摺動するため、摩耗や凹み等の劣化が早く、交換頻度が多くなっており、強化木に代わる材質が検討されている。
【０００５】
例えば、非特許文献１においては、強化木よりも耐摩耗性の高い材料であるＦＲＰを絶縁セクションに使用することで、耐久性を向上させている。さらに、ＦＲＰは強化木と比較してパンタグラフのカーボンが接触面に付着し易くなっているが、この接触面から上方へ切り欠かれて、車両の走行方向に直交する軌道幅方向に延びる溝を形成することによって、カーボン付着により走行方向で導通状態が発生してしまうことを防止している。
【先行技術文献】
【特許文献】
【０００６】
【非特許文献１】野口純也、阿部泰久、「ＦＲＰセクションインシュレータ切削機の開発」、鉄道と電気技術／日本鉄道電気技術協会［編］、１９９９年６月、１０（６）（通号６１４）、ｐ．４４−４７
【発明の概要】
【発明が解決しようとする課題】
【０００７】
しかしながら、非特許文献１に開示された絶縁セクションは、架線が車両の上方に設けられ、下方から集電子（パンタグラフ）が架線に接触する場合において適用されるものである。
ここで、非特許文献１にあるような上方の架線から給電される場合と比較して、側部の給電レールから車両に給電が行なわれる軌道系交通システムでは、給電レールに撓み等が発生するため、集電子が給電レールの形状に追従して接触摺動状態を維持しながら車両が走行することは容易ではない。このため、軌道系交通システム等における集電子は、車両の走行方向及び軌道幅方向に直交する上下方向を軸線として回動可能となっており、給電レールの形状に対応しながら接触摺動状態を維持可能とされている。具体的には、図５（ａ）及び図５（ｂ）に示すように、集電子５１が軸線Ｐ回りに回転して給電レール５０の線形に対応することで、接触摺動状態を維持している。
そして、軌道系交通システムでは、このように集電子５１に回動する機構が採用されているため、非特許文献１のような溝が形成された絶縁セクションを、軌道系交通システムに対してそのまま適用した場合には、図５（ｃ）に示すように、溝５２へ集電子５１の縁部が引っ掛かってしまい、衝撃が発生して乗り心地が低下してしまうおそれがあった。
【０００８】
本発明はこのような事情を考慮してなされたもので、確実に絶縁を行なうとともに、乗り心地を向上することが可能な絶縁セクション、給電レール、及び軌道系交通システムを提供することを目的とする。
【課題を解決するための手段】
【０００９】
上記課題を解決するため、本発明は以下の手段を採用している。
即ち、本発明に係る絶縁セクションは、車両の側方に延設されて、前記車両と対向する接触面で、前記車両の集電子と接触する電車線同士を接続する絶縁セクションであって、前記接触面は、延設方向に直交する上下方向の上縁から下縁まで形成された溝を有し、前記溝は、前記上下方向の断面が、前記延設方向のいずれの位置でも、前記接触面の前記上下方向の一部となるように形成されていることを特徴とする。
【００１０】
このような絶縁セクションによると、溝が形成されていることで、集電子が接触面に接触した状態で車両が走行した際に、仮にカーボン等が付着しても、この溝によって接触面の連続性が途切れるため、導通状態となってしまうことを回避できる。また、溝が形成された延設方向のいずれの位置においても、集電子は接触面の一部と接触している状態となり、集電子の縁部の上下方向全体が溝の中に位置することがない。従って、導通状態を確実に回避できるよう溝の延設方向の幅寸法を大きくとったとしても、集電子が溝に対して引っ掛かり、衝撃が発生してしまうことを防止できる。
【００１１】
また、前記溝は、前記延設方向の一方側から他方側に向かうに従って、前記上下方向の一方側から他方側に向かって傾斜して形成されていてもよい。
【００１２】
このように溝が傾斜して形成されていることによって導通状態を回避でき、さらに、集電子の縁部の上下方向全体が溝の中に位置することがなく、集電子の引っ掛かりによる衝撃発生を防止でき、車両の乗り心地の向上が可能となる。
【００１３】
さらに、前記溝は、前記延設方向の一方側から他方側に向かうに従って、前記上下方向の一方側から他方側に向かって湾曲して形成されていてもよい。
【００１４】
このような溝によって、確実に導通状態を回避するとともに、集電子の引っ掛かりによる衝撃発生を防止でき、車両の乗り心地の向上が可能となる。
【００１５】
また、前記接触面は、前記上下方向に間隔をあけて設けられる第一接触面と第二接触面とを有し、前記溝は、これら第一接触面及び第二接触面それぞれに、前記延設方向に異なる位置で形成されていてもよい。
【００１６】
このような溝によって、確実に導通状態を回避するとともに、集電子の引っ掛かりによる衝撃発生を防止でき、車両の乗り心地の向上が可能となる。
【００１７】
さらに、本発明に係る給電レールは、車両の集電子と接触する電車線と、前記電車線同士を接続する上記の絶縁セクションとを備えることを特徴とする。
【００１８】
このような給電レールによると、絶縁セクションによって確実に導通状態を回避するとともに、集電子の引っ掛かりによる衝撃発生を防止でき、車両の乗り心地の向上が可能となる。
【００１９】
また、本発明に係る軌道系交通システムは、上記の絶縁セクション又は給電レールを備えることを特徴とする。
【００２０】
このような軌道系交通システムによると、絶縁セクションによって確実に導通状態を回避するとともに、集電子の引っ掛かりによる衝撃発生を防止でき、車両の乗り心地の向上が可能となる。
【発明の効果】
【００２１】
本発明の絶縁セクション、給電レール、及び軌道系交通システムによると、溝によって確実に絶縁を行なうとともに、乗り心地を向上することが可能となる。
【図面の簡単な説明】
【００２２】
【図１】本発明の第一実施形態に係る軌道系交通システムを、車両の走行方向から見た全体概略図である。
【図２】本発明の第一実施形態に係る軌道系交通システムに関し、給電レールを示す図であって、（ａ）は側面図、（ｂ）は（ａ）のＡ矢視図、（ｃ）は（ａ）のＢ−Ｂ断面図である。
【図３】本発明の第二実施形態に係る軌道系交通システムに関し、給電レールを示す側面図である。
【図４】本発明の第三実施形態に係る軌道系交通システムに関し、給電レールを示す側面図である。
【図５】本発明の軌道系交通システムにおけるパンタグラフの動作の様子を示す上面図である。
【発明を実施するための形態】
【００２３】
以下、本発明の実施形態に係る軌道系交通システム１について説明する。
図１に示すように、軌道系交通システム１は、車両２が側方で案内されながら、軌道３上を走行するサイドガイド方式の新交通システムである。
【００２４】
車両２は、軌道３上を転動可能に設けられる走行輪１０と、走行輪１０よりも走行方向Ｄ１に直交する幅方向Ｄ２の外側に配置されて、走行方向Ｄ１及び幅方向Ｄ２に直交する上下方向Ｄ３を軸として回転可能とされた案内輪１１と、案内輪１１の上方で上下方向Ｄ３に間隔をあけて設けられた二つのパンタグラフ（集電子）１２とを備えている。
【００２５】
軌道３は、案内輪１１に対向して車両２を走行方向Ｄ１に沿って案内するガイドレール１３と、ガイドレール１３の上方で走行方向Ｄ１に沿って二つが上下方向Ｄ３に間隔をあけて、二つのパンタグラフ１２それぞれに対して接触摺動可能に設けられた二つの給電レール１４とを備えている。
【００２６】
次に、給電レール１４について説明する。
給電レール１４は、走行方向Ｄ１に沿って軌道３の側部で走行方向Ｄ１に沿って互いに上下方向Ｄ３に間隔をあけて設けられている。
また、図２に示すように、それぞれの給電レール１４は、き電線（不図示）に導通して走行方向Ｄ１に間隔をあけて配置される電車線２０と、これら電車線２０同士の間に配置されて、電車線２０に接続板２１によって接続される絶縁セクション２２とを有している。
さらに、図２（ｃ）に示すように、給電レール１４の上下方向Ｄ３の断面形状は、角部が面取りされて、面取り部１４ａとされた八角形状をなしている。
【００２７】
電車線２０は、走行方向Ｄ１に沿って配置され、き電区間（不図示）からき電線を通じて電力が供給されるものであり、パンタグラフ１２と接触摺動可能に設けられ、車両２に電力供給を行うものである。
【００２８】
絶縁セクション２２は、ＦＲＰ等の非導電性の材料よりなり、走行方向Ｄ１に沿って、走行方向Ｄ１に隣接する電車線２０同士の間に配置されるものである。さらに、この絶縁セクション２２は、パンタグラフ１２と接触する接触面２２ａから幅方向Ｄ２外側に向かって切欠かれた溝２３を有している。そして本実施形態では、この溝２３は走行方向Ｄ１の両端部において、走行方向Ｄ１に間隔をあけて二つずつ形成されている。
【００２９】
図２（ａ）に示すように、各溝２３は、接触面２２ａの上縁と下縁との間に、走行方向（延設方向）Ｄ１の前方側（一方側）から後方側（他方側）に向かうに従って、上下方向Ｄ３の下方側（一方側）から上方側（他方側）に向かって傾斜して形成されている。
【００３０】
また、図２（ｂ）に示すように、この溝２３は、絶縁セクション２２を上下方向Ｄ３から見た際には、走行方向Ｄ１の前方側から後方側に向かうに従って、幅方向Ｄ２の内側から外側に向かって傾斜して、幅方向Ｄ２の中途位置である面取り部１４ａを超えた位置まで形成されている。
【００３１】
接続板２１は、走行方向Ｄ１に隣接する電車線２０とこれら電車線２０の間に配置される絶縁セクション２２とを上下方向Ｄ３から挟み込んでボルト２４及びナット２５によって固定するものである。
【００３２】
このような軌道系交通システム１においては、車両２のパンタグラフ１２が給電レール１４に接触摺動した状態で軌道３上を車両２が走行する。そして、絶縁セクション２２にはＦＲＰが採用されているため、強化木等に比べて、繰り返しの摺動に対しても摩耗による劣化が少なく、耐久性の向上が可能である。
【００３３】
そして、このように摺動を繰り返すことによって、絶縁セクション２２の接触面２２ａに、パンタグラフ１２のカーボンが付着するが、この接触面２２ａに形成された溝２３によって、電車線２０と絶縁セクション２２との間の連続性が分断され、隣接する電車線２０同士の間が導通状態となってしまうことを回避できる。
【００３４】
また、上記溝２３にカーボンが入り込んでしまい溝２３を塞いで導通状態となってしまうことを回避できるように、走行方向Ｄ１の幅寸法をある程度大きく設定する必要がある。この点、走行方向Ｄ１の幅寸法が大きく設定されたとしても、本実施形態では溝２３は傾斜して形成されているため、溝２３が形成された走行方向Ｄ１のいずれの位置においても、パンタグラフ１２は必ず接触面２２ａの一部と接触した状態となる。即ち、パンタグラフ１２の走行方向Ｄ１の縁部が上下方向Ｄ３の全体で、同時に溝２３の中に位置することがなく、従って、パンタグラフ１２が溝２３に引っ掛かり、衝撃が発生してしまうことを防止できる。さらに、このような衝撃によって発生するパンタグラフ１２の摩耗や損傷も防止できる。
【００３５】
さらに、溝２３は、絶縁セクション２２の走行方向Ｄ１の両端部に二つずつ設けられているため、万一、一つがカーボンによって塞がれ、導通状態となってしまっても、もう一つが絶縁状態を維持でき、即ち冗長化を図ることができるため、信頼性の向上を図ることができる。
【００３６】
本実施形態の軌道系交通システム１によると、絶縁セクション２２の溝２３によってパンタグラフ１２のカーボンによる電車線２０同士の導通を回避でき、確実に絶縁状態を維持できるとともに、パンタグラフ１２の縁部が溝２３に位置した際には衝撃の発生を防止でき、乗り心地の向上が可能となる。
【００３７】
またパンタグラフ１２の摩耗や、絶縁セクション２２の冗長性の確保による信頼性の向上を図ることが可能となる。
【００３８】
なお、本実施形態では溝２３は、走行方向Ｄ１の前方側から後方側に向かうに従って、上下方向Ｄ３の下方側から上方側に向かって傾斜して形成されているが、逆に、走行方向Ｄ１の前方側から後方側に向かうに従って、上下方向Ｄ３の上方側から下方側に向かって傾斜して形成されていてもよい。
【００３９】
また、それぞれの溝２３が、それぞれ別の方向に傾斜して設けられていてもよい。
【００４０】
さらに、絶縁セクション２２を上下方向Ｄ３から見た際の溝２３の形状は、どのような形状であってもよく、例えば幅方向Ｄ２の外側に向かって先細りになっていてもよいし、走行方向Ｄ１に傾斜せずに幅方向Ｄ２の外側へ真っ直ぐに形成されていてもよい。
【００４１】
次に、第二実施形態に係る軌道系交通システム１について説明する。
なお、第一実施形態と同様の構成要素には、同一の符号を付して詳細説明を省略する。
本実施形態では、給電レール３１における絶縁セクション３２の溝３３の形状が第一実施形態とは異なっている。
【００４２】
図３に示すように、溝３３は、接触面の上縁と下縁との間に、走行方向（延設方向）Ｄ１の前方側（一方側）から後方側（他方側）に向かうに従って、上下方向Ｄ３の下方側（一方側）から上方側（他方側）に向かって湾曲して形成されている。
さらに、この溝３３は、絶縁セクション３２における走行方向Ｄ１の両端部に、走行方向Ｄ１に間隔をあけて二つずつ形成されている。
【００４３】
このような軌道系交通システム１においては、絶縁セクション３２の接触面３２ａに、パンタグラフ１２のカーボンが付着しても、この接触面３２ａに形成された溝３３によって、電車線２０と絶縁セクション３２との間の連続性が分断され、隣接する電車線２０同士の間が導通状態となってしまうことを回避できる。また、パンタグラフ１２は必ず接触面３２ａの一部と接触した状態となる。即ち、パンタグラフ１２の走行方向Ｄ１の縁部が上下方向Ｄ３の全体で、同時に溝３３の中に位置することがなく、パンタグラフ１２が溝３３に引っ掛かり、衝撃が発生してしまうことを防止できる。この結果、衝撃によって発生するパンタグラフ１２の摩耗や損傷も防止できる。
【００４４】
本実施形態の軌道系交通システム１によると、絶縁セクション３２の溝３３によって、確実に絶縁状態を維持できるとともに、パンタグラフ１２への衝撃の発生を防止でき、乗り心地の向上が可能となる。
【００４５】
なお、本実施形態では溝３３は、走行方向Ｄ１の前方側から後方側に向かうに従って、上下方向Ｄ３の下方側から上方側に向かって湾曲して形成されているが、逆に、走行方向Ｄ１の前方側から後方側に向かうに従って、上下方向Ｄ３の上方側から下方側に向かって湾曲して形成されていてもよい。
【００４６】
また、それぞれの溝３３は、それぞれ別の方向に湾曲して設けられていてもよい。この場合、パンタグラフ１２への衝撃を、より緩和できる。
【００４７】
次に、第三実施形態に係る軌道系交通システム１について説明する。
なお、第一実施形態及び第二実施形態と同様の構成要素には、同一の符号を付して詳細説明を省略する。
本実施形態では、給電レール４１における絶縁セクション４２の構成が第一実施形態及び第二実施形態とは異なっている。
【００４８】
図４に示すように、絶縁セクション４２は、第一実施形態及び第二実施形態と同様に、ＦＲＰ等の非導電性の材料よりなり、走行方向Ｄ１に沿って、走行方向Ｄ１に隣接する電車線２０同士の間に配置されるものである。さらに、この絶縁セクション４２は、各給電レール４１毎に、互いに上下方向Ｄ３に間隔をあけて配置される、第一絶縁部４４と第二絶縁部４５とを有している。
【００４９】
第一絶縁部４４は、走行方向Ｄ１の両端部において、パンタグラフ１２と接触する第一接触面４４ａから幅方向Ｄ２の外側に向かって、第一接触面４４ａの上縁から下縁まで上下方向Ｄ３に切欠かれ、走行方向Ｄ１に間隔をあけて二つずつ設けられた溝２３を有している。
【００５０】
第二絶縁部４５は、第一絶縁部４４と同様に、走行方向Ｄ１の両端部において、パンタグラフ１２と接触する第一接触面４４ａから幅方向Ｄ２の外側に向かって、第一接触面４４ａの上縁から下縁まで上下方向Ｄ３に切欠かれ、走行方向Ｄ１に間隔をあけて二つずつ設けられた溝４３を有している。
【００５１】
さらに、第一絶縁部４４の溝４３と第二絶縁部４５の溝４３とは、走行方向Ｄ１に同じ位置に配置されないように位置ズレして形成されている。
【００５２】
このような軌道系交通システム１においては、絶縁セクション４２の第一接触面４４ａと第二接触面４５ａとに、パンタグラフ１２のカーボンが付着しても、これら第一接触面４４ａ及び第二接触面４５ａに形成された溝４３によって、電車線２０と絶縁セクション４２との間の連続性が分断され、隣接する電車線２０同士の間が導通状態となってしまうことを回避できる。
【００５３】
また、第一絶縁部４４と第二絶縁部４５との間に間隙を設け、さらに上下方向Ｄ３に位置ズレして、第一接触面４４ａ及び第二接触面４５ａそれぞれに溝４３が形成されているため、パンタグラフ１２は必ず第一接触面４４ａ及び第二接触面４５ａの一部と接触した状態となる。即ち、パンタグラフ１２の走行方向Ｄ１の縁部が上下方向Ｄ３の全体で、同時に溝４３の中に位置することがなく、パンタグラフ１２が溝４３に引っ掛かり、衝撃が発生してしまうことを防止できる。この結果、衝撃によって発生するパンタグラフ１２の摩耗や損傷も防止できる。
【００５４】
本実施形態の軌道系交通システム１によると、絶縁セクション４２の溝４３によって、確実に絶縁状態を維持できるとともに、パンタグラフ１２への衝撃の発生を防止でき、乗り心地の向上が可能となる。また、第一絶縁部４４と第二絶縁部４５とが独立しているため、交換作業の容易化も期待できる。
【００５５】
なお、第一接触面４４ａ及び第二接触面４５ａに形成された溝４３は、それぞれ第一実施形態のように傾斜して形成されていてもよいし、第二実施形態のように湾曲して形成されていてもよい。
そしてこのような場合には、さらにパンタグラフ１２への衝撃発生を防止でき、乗り心地の向上につながる。
【００５６】
以上、本発明の実施形態についての詳細説明を行なったが、本発明の技術的思想を逸脱しない範囲内において、多少の設計変更も可能である。
例えば、各溝４３の走行方向Ｄ１の縁部は、面取り等が施されて接触面２２ａ、３２ａ、第一接触面４４ａ、第二接触面４５ａから連続するように滑らかに形成されていてもよい。
【００５７】
また、各溝２３、３３、４３は、絶縁セクション２２における走行方向Ｄ１の両端部にそれぞれ二つずつ形成されているが、絶縁セクション２２において少なくとも一つ形成されていればよい。なお複数を形成する場合には、一つがカーボンによって塞がれて導通状態となってしまった場合でも他が絶縁状態を維持でき、即ち、上述のように冗長性を具備することができるため、より好ましい。
【００５８】
さらに、上述の実施形態では、絶縁セクション２２、３２、４２にＦＲＰを用いた場合について説明したが、これに限定されることはない。
【００５９】
また、上述の各実施形態では、サイドガイド方式の新交通システムを例に説明したが、センターガイド方式や、ガイドの無い自動操舵方式であってもよい。
【符号の説明】
【００６０】
１…軌道系交通システム  ２…車両  ３…軌道  １０…走行輪  １１…案内輪  １２…パンタグラフ（集電子）  １３…ガイドレール  １４…給電レール  １４ａ…面取り部  ２０…電車線  ２１…接続板  ２２…絶縁セクション  ２２ａ…接触面  ２３…溝  ２４…ボルト  ２５…ナット  ３１…給電レール  ３２…絶縁セクション  ３２ａ…接触面  ３３…溝  ４１…給電レール  ４２…絶縁セクション  ４３…溝  ４４…第一絶縁部  ４４ａ…第一接触面  ４５…第二絶縁部  ４５ａ…第二接触面  Ｄ１…走行方向、Ｄ２…幅方向、Ｄ３…上下方向  ５０…給電レール  ５１…パンタグラフ  ５２…溝  Ｄ…走行方向  Ｐ…軸線
【図１】
2013159181.tif 000003
【図２】
2013159181.tif 000004
【図３】
2013159181.tif 000005
【図４】
2013159181.tif 000006
【図５】
2013159181.tif 000007